(57)【要約】【課題】道糸とハリス糸の位置をずらした天秤において、耐久性を向上すると共にその屈曲角を大きくすることを可能とする。【解決手段】予め屈曲状に形状記憶させた形状記憶合金からなる線材１２と、その線材１２を屈曲状に保持する保持部材２２とを備えた。線材１２の両端には、道糸を止着する部位３２と、ハリス糸を止着する部位３４が設けられる。保持部材２２は線材１２の屈曲部に外嵌された円筒部材とすることができる。この円筒部材は線材１２の形状に合わせて屈曲状に形成されていることが好ましい。【選択図】  図１
2005006512.tif 000002
【特許請求の範囲】
【請求項１】
予め屈曲状に形状記憶させた形状記憶合金からなる線材と、その線材を屈曲状に保持する保持部材とを備えた釣り用天秤。
【請求項２】
前記保持部材は線材の屈曲部に外嵌された円筒部材であり、その円筒部材は線材の形状に合わせて屈曲状に形成されていることを特徴とする請求項１に記載の釣り用天秤。
【請求項３】
前記保持部材は線材の屈曲部に外嵌された形状記憶樹脂からなる円筒部材であることを特徴とする請求項１に記載の釣り用天秤。
【発明の詳細な説明】
【０００１】
【発明の属する技術分野】本発明は、魚釣の仕掛け用具として好適に用いられる釣り用天秤に関する。
【０００２】
【従来の技術】魚釣の仕掛け用具としては、釣り用天秤（以下、天秤という）が知られている（例えば、特許文献１）。特許文献１に開示された天秤は、屈曲形状に形成したパイプ材と、このパイプ材に挿通される形状記憶合金製の線材とから構成される。線材は予め直線状に形状記憶させられており、パイプ材によって屈曲形状（約１１０°前後）に保持される。
かかる天秤を使用する場合、線材の一端には道糸が止着され、線材の他端にはハリス糸が止着される。また、パイプ材（すなわち、線材の屈曲部）には重りやまき餌が取付けられる。かかる状態で天秤を海に投げ込むと、天秤は重りやまき餌の重量によって海底に向かって沈んでゆく。この際、線材がパイプ材によって屈曲状に保持されているため道糸とハリス糸の位置がずれ、ハリス糸が天秤に取付けた重りやまき餌かごに絡まることが防止される。
【０００３】
【特許文献１】
特開２００３−７９２９５号公報
【０００４】
【発明が解決しようとする課題】しかしながら、上述した天秤は、直線状に形状記憶された形状記憶合金からなる線材を屈曲形状に形成したパイプ材によって屈曲状に保持する。したがって、線材が直線状に形状記憶される一方でパイプ材が曲げられるため、線材には常に曲げられた状態から直線状に戻ろうとするモーメントが働き、これによってその耐久性を劣化させるという問題があった。
また、上述した天秤の屈曲角は、線材に永久変形が生じない角度範囲（すなわち、除荷または変態温度以上に加熱することで線材が直線形状に戻る角度範囲）に制限されるため、一定の曲がり半径を保ったままで天秤の屈曲角を大きくすることはできなかった（すなわち、天秤を鋭角に曲げることができなかった）。例えば、特許文献１の天秤のように線材の角度が鈍角以上となる場合は、天秤を海底面の近くまで下ろし難いという問題があった。すなわち、海底面近くに生息する魚（例えば、オニカサゴ等）を釣るためには、天秤を海底面近くまで下ろす必要がある。従来の天秤を海底面近くまで下ろそうとすると、天秤の屈曲部が海底面に接触する前に天秤のハリス止着部が海底面に接触してしまう。このため、ハリスの動きが不自然となり、また、海底面の岩等の障害物による根掛りの増加の要因となるからである。
【０００５】
本発明は上述した事情に鑑みてなされたものであり、その目的は、形状記憶合金からなる線材を所望の天秤形状（又は所望の天秤形状と近似する形状）に記憶させることで線材と保持部材との間に余分な曲げモーメント（力）が作用しないようにし、これによって耐久性を向上すると共により屈曲角を大きくすることが可能となる釣り用天秤を提供することである。
【０００６】
【課題を解決するための手段、作用および効果】上記課題を解決するために本願に係る釣り用天秤は、予め屈曲状に形状記憶させた形状記憶合金からなる線材と、その線材を屈曲状に保持する保持部材とを備えた。
この天秤では、形状記憶合金からなる線材が予め屈曲状に形状記憶させられている。このため、所望の形状に合わせて形状記憶させることでその屈曲角を大きくすることができる。また、線材を曲げた状態に記憶処理しているので、線材に作用する曲げモーメントを小さくあるいは無くすことができ、その耐久性を向上することができる。
上記釣り用天秤において、保持部材として円筒部材（例えば、線材に外嵌されるパイプ材）を用いた場合は、その円筒部材の外径（すなわち、肉厚）をより小さくすることができる。すなわち、線材に作用する曲げモーメントが小さくなると、その反作用として線材から円筒部材に作用する曲げモーメントも小さくなる。このため、円筒部材に要求される強度も低くなり、円筒部材の外径を小さくすることが可能となる。
なお、円筒部材の外径を小さくできると、線材の外径と円筒部材の外径の差によって形成される段差も小さくなる。このため、根掛りの要因である引掛かりをより小さくでき、また、水中移動時における水の抵抗もより小さくなる。
【０００７】
また、前記保持部材は線材の屈曲部に外嵌された円筒部材であり、その円筒部材は線材の形状に合わせて屈曲状に形成されていることが好ましい。
このような構成によると、保持部材である円筒部材が線材の形状に合わせて屈曲させられているため、自由状態において線材に作用する曲げモーメントをより小さくあるいは無くすことができる。
【０００８】
なお、前記保持部材には種々の材料を用いることができる。例えば、ステンレス，非鉄金属（例えば、銅，アルミ）等の金属製の保持部材を用いることができる。金属製の保持部材を用いることで屈曲部の強度を上げ、その耐久性をより向上させることができる。
あるいは、特殊な保持部材として形状記憶樹脂からなる円筒部材を用いてもよい。この場合、形状記憶樹脂のガラス転移点は水温以上の温度とされることが好ましい。このような構成によると、水中では形状記憶樹脂がガラス転移点以下の温度となり、その強度を向上させることができる。このため、魚を釣り上げるときの負荷に対して大きな強度を得ることができる。また、形状記憶樹脂からなる円筒部材を線材に外嵌するとき等においては、円筒部材をガラス転移点以上とすることで容易に変形させることができ、これによって天秤（すなわち、線材）の角度を変たり、形状記憶合金の線材に対して円筒部材を脱着することが可能となる。
【０００９】
【発明の実施の形態】以下、本発明の一実施の形態に係る天秤について図面を参照して説明する。図１は本実施形態に係る天秤１０を示している。図１に示すように天秤１０は、その略中央で鋭角（本実施例では約８０°）に屈曲する線材１２を備える。線材１２の一端にはリング１６がバインドリング１４によって固定され、線材１２の他端にはリング１８がバインドリング２０によって固定されている。バインドリング１４，２０は、それぞれ熱収縮チューブによって被覆されている。線材１２の両端に設けられたリング１６，１８には、サルカン３２，３４がそれぞれ連結される。天秤１０を用いて釣りを行う際は、サルカン３２に道糸が止着され、サルカン３４（あるいは、直接リング１８）にハリス糸（あるいは、ハリス糸が簡単に切れないようにするためのクッションゴム等を介してハリス糸）が止着される。
【００１０】
線材１２の屈曲部には円筒部材２２が固定されている。すなわち、図２に示すように、円筒部材２２には線材１２が挿通され、円筒部材２２を両端部近傍２２ａ，２２ｂでカシメることで、線材１２に円筒部材２２が固定されている。
円筒部材２２の両端部近傍には、図１に示すように、ストッパ２４，２６が取付けられている。ストッパ２４，２６間には、サルカン２８を介して継リング３０が連結されている。サルカン２８（すなわち、継リング３０）は、円筒部材２２の軸線方向に移動自在となっており、ストッパ２４、２６によってその移動が規制されるようになっている。天秤１０を用いて釣りを行う際は、継リング３０に重りやまき餌用のこませカゴ付き重り（ビシ）が取付けられる。
【００１１】
ここで、上述した線材１２は、Ｔｉ−Ｎｉ系合金の形状記憶合金からなる線材（例えば、径０．１〜５．０ｍｍから適宜選択される）であり、図１に示すようにその略中央が鋭角に屈曲するように予め形状記憶させられている。Ｔｉ−Ｎｉ系合金の変態温度は−１８０〜１００℃の範囲で調整可能であるが、本実施形態では線材１２の変態温度を−３０〜６０℃の範囲内に調整している。例えば、変態温度を水温よりも僅かに高い温度に設定しておくと、水中において線材１２がマルテンサイト状態となって変形する場合にも、これを引き上げて空中放置等により加熱することで元の形状に復元させることができる。あるいは、水中において線材１２がオーステナイト状態となるように変態温度（例えば、−１５〜＋１５℃）を設定しておくと、水中において線材１２が超弾性を示し、そのしなやかさを増すことができる。線材１２の変態温度は、ＴｉとＮｉの組成比を変えること、Ｖ，Ｃｕ，Ｍｎ，Ｆｅ，Ｃｏ，Ａｌ等の含有量を変えることによって調整することができる。
なお、線材１２には、上述したＴｉ−Ｎｉ系合金以外にもＣｕ−Ｚｎ−Ａｌ系合金や、Ｔｉ−Ｎｉ−Ｃｕ，Ｔｉ−Ｎｉ−Ｆｅ，Ｃｕ−Ｚｎ等を用いることができる。
【００１２】
上述した円筒部材２２は、ステンレスや非鉄金属等の金属製のパイプ材であり、形状記憶された線材１２の形状に合わせて屈曲状に形成されている。円筒部材２２を屈曲成形する方法としては、例えば、直線状の円筒部材に形状記憶させる前の線材１２（すなわち、直線状の線材）を挿通し、円筒部材２２を線材１２と共に屈曲させる。線材１２に対しては、円筒部材２２に挿通された状態で形状記憶処理（例えば、３５０℃〜５５０℃の範囲（望ましくは４００〜５００℃）で加熱後急冷）を施して屈曲状に形状記憶させる。最後に、円筒部材２２をカシメることで、円筒部材２２を線材１２に固定する。このような屈曲方法によると、簡易な方法によって線材１２の屈曲形状と円筒部材２２の屈曲形状を一致させることができる。
【００１３】
以上の説明から明らかなように、本実施形態の天秤１０は、線材１２を予め屈曲状に形状記憶させるため、線材１２の屈曲角を大きくすることができる（すなわち、線材１２を鋭角に屈曲させることができる。）。このため、リング１８が物理的に海底面に接することがなくなるので、実釣りの際は天秤１０を海底面近くまで下ろすことができ、これによって海底面近傍に生息する魚を良好に釣ることができる。
また、線材１２の屈曲部には円筒部材２２が固定されており、この円筒部材２２によって線材１２の屈曲部の曲げ強度が補強されている。このため、長期間使用されても線材１２の折損等を防止でき、耐久性を向上することができる。特に、線材１２の屈曲形状に合わせて円筒部材２２が屈曲成形されているため、自由状態では両者の間に曲げモーメントが作用せず、これによっても線材１２の耐久性が向上している。
さらに、通常時は線材１２と円筒部材２２との間に曲げモーメントが作用せず、また、釣り使用時に作用するモーメントも従来と比して小さくなることから、円筒部材２２の外径（すなわち、肉厚）を小さくすることができる。このため、線材１２と円筒部材２２との段差（円筒部材２２の両端部に形成される）が小さくなり、根掛りの要因である引掛かりをより小さくでき、また、水中移動時における水の抵抗もより小さくなる。
【００１４】
以上、本発明のいくつかの具体例を詳細に説明したが、これらは例示にすぎず、特許請求の範囲を限定するものではない。特許請求の範囲に記載の技術には、以上に例示した具体例を様々に変形、変更したものが含まれる。
例えば、上述した実施例では、線材１２の屈曲部に取付けられる円筒部材として金属製のパイプ材を使用したが、本発明の円筒部材は金属製のパイプ材に限られず、例えば、形状記憶樹脂からなる円筒部材を好適に用いることができる。
形状記憶樹脂からなる円筒部材を用いる場合、そのガラス転移点を水温以上（例えば、３０℃以上）とすることが好ましい。ガラス転移点を水温以上とすると、水中での円筒部材の強度を上げることができる。したがって、魚を釣り上げる際に天秤（具体的には線材）に作用する曲げモーメントに対して充分な強度を持たせることができる。一方、円筒部材をガラス転移点以上に加熱すると、その強度が低下し容易に変形が可能となる。このため、線材を変態点（＞ガラス転移点）以上に加熱して線材の形状を元に戻す際は、円筒部材が変形し易い状態となるため、線材は元の形状に容易に戻ることができる。
【００１５】
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうち一つの目的を達成すること自体で技術的有用性を持つものである。
【図面の簡単な説明】
【図１】本実施形態に係る天秤を示す図
【図２】図１に示す天秤の屈曲部の縦断面図
【符号の説明】
１０・・天秤
１２・・線材
２２・・円筒部材
【図１】
2005006512.tif 000003
【図２】
2005006512.tif 000004